(57)【特許請求の範囲】
【請求項１】
口頸部が設けられた容器本体と、
前記容器本体の口頸部に装着されると共に、前記容器本体に収容された液体を注出する第１注出口を先端部に有して前記口頸部の内側から上方に向かって立ち上がるノズルと、前記ノズルの基端側に流れ落ちた液体を前記容器本体内に戻す戻し口と、前記ノズルの基端側に位置して前記ノズルの周囲を囲む環状の底壁と、前記底壁の外周縁部から上方に向かって立ち上がる筒状の内側周壁とが設けられた注出キャップと、
前記注出キャップに着脱自在に被せられると共に、前記注出キャップから取り外して前記第１注出口から注出された液体を計り取る計量部と、前記計量部の底面部を構成すると共に前記ノズルの第１注出口に対向する位置に第２注出口を有する天板部と、前記計量部の側面部を構成すると共に前記天板部の下面から前記ノズルの周囲を囲むように垂下される内筒部とが設けられた計量キャップとを備え、
前記計量キャップを前記注出キャップに被せた状態において、前記ノズルの先端部が前記天板部の第２注出口の周囲に水密に嵌合され、前記ノズルの基端部が前記内筒部の内側に水密に嵌合され、前記内筒部の先端部が前記内側周壁に水密に嵌合されることによって、前記計量部が密閉状態となると共に、
前記内筒部は、先端部に向かって漸次肉厚が薄くなり、この先端部が外側に向かって湾曲した形状を有することを特徴とするキャップ付き容器。
【請求項２】
前記注出ノズルの基端部には、前記内筒部の内側に水密に嵌合される嵌合部が設けられ、この嵌合部は、前記注出ノズルの基端側の中途部から底壁に亘って拡径しながら湾曲した形状を有することを特徴とする請求項１に記載のキャップ付き容器。
【請求項３】
前記計量キャップは、前記内筒部の外側に位置して前記口頸部の外側に着脱自在に装着される外筒部を備えることを特徴とする請求項１又は２に記載のキャップ付き容器。
【請求項４】
前記計量キャップには、前記第２注出口を開閉する開閉手段が設けられていることを特徴とする請求項１〜３の何れか一項に記載のキャップ付き容器。
【請求項５】
前記開閉手段は、前記計量キャップにヒンジ部を介して回動可能に設けられたカバーキャップであることを特徴とする請求項４に記載のキャップ付き容器。
【請求項６】
前記容器本体に収容された液体が、少なくとも２質量％以上の界面活性剤を含む液体洗剤組成物又は液体漂白剤組成物であることを特徴とする請求項１乃至５の何れか一項に記載のキャップ付き容器。
【発明の詳細な説明】
【技術分野】
【０００１】
本発明は、計量カップとして使用できるキャップを備えたキャップ付き容器に関する。
【背景技術】
【０００２】
従来より、液体洗剤や液体漂白剤、柔軟仕上げ剤などの液体製品を容器本体に収容し、この容器本体に着脱自在に被せられるキャップを計量カップとして使用するキャップ付き容器がある（例えば特許文献１〜３を参照）。このようなキャップ付き容器は、例えば図５に示すように、液体を内部に収容する容器本体１００と、この容器本体１００から注出された液体を計り取る計量部１０１ａが設けられた計量キャップ１０１と、この計量キャップ１０１に液体を注出するための注出ノズル１０２ａ及び計量キャップ１０１を被せたときに計量キャップ１０１の内側に付着した液体を容器本体１００に戻すための戻し口１０２ｂが設けられた注出キャップ１０２とを備えている。そして、このような液体製品を用いて洗濯などを行う場合には、図６に示すように、計量キャップ１０１を注出キャップ１０２から取り外し、注出ノズル１０２ａから注出された液体を計量キャップ１０１の計量部１０１ａで計り取った後に、洗濯機に投入するといった操作を行う。
【特許文献１】実開平１−５３０５１号公報
【特許文献２】実開昭６４−５１０４２号公報
【特許文献３】実開昭６４−５３０５０号公報
【発明の開示】
【発明が解決しようとする課題】
【０００３】
ところで、従来のキャップ付き容器では、図７に示すように、計量時に計量部１０１ａ内に付着した泡Ｂが溢れ出すなどの問題があった。具体的に、従来のキャップ付き容器は、容器本体１００を正立状態で保管することが基本のため、容器本体１００の反転等による泡Ｂの発生は考慮されておらず、計量キャップ１０１を装着した状態のまま容器本体１００を転倒させたり反転させたりすると、注出ノズル１０２ａや戻し口１０２ｂから計量部１０１ａ内に流入した液体が再び容器本体１００内へと戻る過程で図８に示すような泡Ｂが発生する。このような状態で計量キャップ１０１を取り外して計量を行うと、上述した図７に示すように、計量部１０１ａ内に残留した泡Ｂの影響により液体を正確に計り取ることが困難となってしまう。
【０００４】
本発明は、このような従来の事情に鑑みて提案されたものであり、計量部内での泡の発生を防ぐことができるキャップ付き容器を提供することを目的とする。
【課題を解決するための手段】
【０００５】
この目的を達成するために、本発明に係るキャップ付き容器は、口頸部が設けられた容器本体と、容器本体の口頸部に装着されると共に、容器本体に収容された液体を注出する第１注出口を先端部に有して口頸部の内側から上方に向かって立ち上がるノズルと、ノズルの基端側に流れ落ちた液体を容器本体内に戻す戻し口と、ノズルの基端側に位置してノズルの周囲を囲む環状の底壁と、底壁の外周縁部から上方に向かって立ち上がる筒状の内側周壁とが設けられた注出キャップと、注出キャップに着脱自在に被せられると共に、注出キャップから取り外して第１注出口から注出された液体を計り取る計量部と、計量部の底面部を構成すると共にノズルの第１注出口に対向する位置に第２注出口を有する天板部と、計量部の側面部を構成すると共に天板部の下面からノズルの周囲を囲むように垂下される内筒部とが設けられた計量キャップとを備え、計量キャップを前記注出キャップに被せた状態において、ノズルの先端部が天板部の第２注出口の周囲に水密に嵌合され、ノズルの基端部が内筒部の内側に水密に嵌合され、内筒部の先端部が内側周壁に水密に嵌合されることによって、計量部が密閉状態となると共に、内筒部は、先端部に向かって漸次肉厚が薄くなり、この先端部が外側に向かって湾曲した形状を有することを特徴とする。
本発明に係るキャップ付き容器では、計量キャップを注出キャップに被せた状態において計量部が密閉状態となることから、容器本体を転倒させたり反転させたりした場合でも、ノズル及び戻し口から計量部内に液体が流入することがなく、計量部内での泡の発生を確実に防ぐことができる。また、内筒部の先端部が内側周壁に水密に嵌合されることによって、戻し口から流出した液体が内筒部と内側周壁との間に流入することを防ぐことができる。
なお、第２注出口は、第１注出口よりも小径であり、第１注出口の内側に臨んで配置されると共に、第１注出口の中心から容器本体を傾ける側に偏倚して設けられていることが好ましい。
【０００６】
また、本発明に係るキャップ付き容器は、注出ノズルの基端部に、内筒部の内側に水密に嵌合される嵌合部が設けられ、この嵌合部が、注出ノズルの基端側の中途部から底壁に亘って拡径しながら湾曲した形状を有する構成であってもよい。
この場合、嵌合部を内筒部の内側に容易に嵌合させることができる。
また、本発明に係るキャップ付き容器は、計量キャップが、内筒部の外側に位置して口頸部の外側に着脱自在に装着される外筒部を備えた構成であってもよい。
この場合、外嵌合型の計量キャップを注出キャップに着脱自在に被せることができる。
【０００７】
また、本発明に係るキャップ付き容器は、計量キャップに第２注出口を開閉する開閉手段が設けられた構成としてもよい。
この場合、計量キャップを取り外して液体を計り取る際に第２注出口からの液漏れを開閉手段により防ぐことができる。
【０００８】
さらに、開閉手段は、計量キャップにヒンジ部を介して回動可能に設けられたカバーキャップであることが好ましい。
この場合、カバーキャップがヒンジ部を介して計量キャップに連結されていることから、このカバーキャップを開蓋した際に無くしてしまうといったことを防ぐことができる。
【０００９】
また、本発明に係るキャップ付き容器では、容器本体に収容された液体が少なくとも２質量％以上の界面活性剤を含む液体洗剤組成物又は液体漂白剤組成物であっても、計量部内での泡の発生を防ぐことができる。
【発明の効果】
【００１０】
以上のように、本発明によれば、容器本体を転倒させたり反転させたりした場合でも、計量部内での泡の発生を防ぐことができることから、計量時に泡の影響を受けることなく液体を計量キャップの計量部により正確に計り取ることができる。
【発明を実施するための最良の形態】
【００１１】
以下、本発明を適用したキャップ付き容器について、図面を参照して詳細に説明する。
図１に示すように、本発明を適用したキャップ付き容器１は、例えば液体として液体洗剤が収容された容器本体２と、この容器本体２の口頸部２ａに装着される注出キャップ３と、この注出キャップ３に着脱自在に被せられた計量キャップ４とを備えている。
【００１２】
容器本体２は、例えばポリエチレン樹脂やポリプロピレン樹脂、ポリエステル樹脂などの合成樹脂材料をブロー成形によりボトル状に成形したものからなる。この容器本体２の底部から筒状に起立した胴部の上端部には、略円筒状に縮径された口頸部２ａが設けられている。また、口頸部２ａの外周面には、注出キャップ３を螺合により装着するためのネジ部２ｂが形成されている。なお、容器本体２の形状については、特に限定されないものの、使用する際に持ち易く且つ注出操作のし易い形状のものが好ましい。
【００１３】
注出キャップ３は、例えばポリエチレン樹脂やポリプロピレン樹脂などの合成樹脂材料からなる。この注出キャップ３は、口頸部２ａの内側から上方に向かって立ち上がる注出ノズル５と、この注出ノズル５の基端側に位置して注出ノズル５の周囲を囲む環状の底壁６と、この底壁６の外周縁部から上方に向かって立ち上がる筒状の内側周壁７と、この内側周壁７の上方に位置して計量キャップ４が着脱自在に装着される内筒部８と、この内筒部８の外側に位置して口頸部２ａに着脱自在に装着される外筒部９とを有している。
【００１４】
このうち、注出ノズル５は、容器本体２に収容された液体を注出する第１注出口５ａを先端部に有し、口頸部２ａ内の略中央位置において口頸部２ａの開口周縁部よりも上方に突出して設けられている。注出ノズル５は、その先端部から基端側の中途部まで径が漸次拡径する形状を有すると共に、その基端部には、後述する計量部４ａ（内筒部１５）の内側に水密に嵌合される嵌合部５ｂが設けられている。この嵌合部５ｂは、内筒部１５の内径とほぼ同径となるように注出ノズル５の基端側の中途部から底壁６に亘って拡径された形状を有している。また、嵌合部５ｂは、内筒部１５の内側に容易に嵌合されるように、注出ノズル５の基端側が湾曲した形状を有している。
【００１５】
底壁６は、注出ノズル５を傾ける方向とは反対方向に下降するように傾斜して設けられている。また、この底壁６の最下端部は、注出ノズル５や計量キャップ４に付着した液体洗剤を回収するための液溜め部６ａを形成している。そして、注出ノズル５の基端部には、この液溜め部６ａに溜まった液体洗剤を容器本体２内に戻すための戻し口１０が設けられている。この戻し口１０は、注出ノズル５の基端側に流れ落ちた液体洗剤を容器本体２内に戻すためのものであり、容器本体２の内部と連通される部分である。なお、このような戻し口１０は、後述する計量部４ａの密閉状態を維持できれば、上述した注出ノズル５の基端部以外にも、底壁６や内側周壁７に設けることも或いはそれらの間に亘って設けることも可能である。
【００１６】
内側周壁７は、口頸部２ａの内側に挿入される部分であり、注出ノズル５との間に環状の空隙を隔てて設けられている。内筒部８は、この内側周壁７の上端部から段差部１１を介して更に口頸部２ａよりも上方に向かって略円筒状に立ち上がり形成されている。また、内筒部８の外周面には、計量キャップ４を螺合により着脱自在とするためのネジ部８ａが形成されている。外筒部９は、内筒部８のネジ部８ａよりも下方に位置するフランジ部１２を介して下方に向かって略円筒状に垂下されている。また、外筒部９の内周面には、上述した口頸部２ａのネジ部２ｂに螺合されるネジ部９ａが形成されている。これにより、注出キャップ３は、容器本体２の口頸部２ａに対して着脱自在に装着することが可能となっている。
【００１７】
計量キャップ４は、例えばポリエチレン樹脂やポリプロピレン樹脂などの合成樹脂材料からなる。この計量キャップ４は、注出キャップ３から取り外して注出ノズル５の第１注出口５ａから注出された液体洗剤を計り取る計量部４ａと、注出キャップ３に被せた状態のまま容器本体２に収容された液体洗剤を注出する第２注出口１３とを有している。
【００１８】
具体的に、この計量キャップ４は、計量部４ａの底面部を構成する略円形状の天板部１４と、計量部４ａの側面部を構成する略円筒状の内筒部１５と、内筒部１５の外側に位置して注出キャップ３に着脱自在に装着される外筒部１６とを有している。
【００１９】
このうち、天板部１４は、内筒部１５とは別体に形成されて内筒部１５の上端開口部を閉塞した状態で設けられている。また、天板部１４の略中央部には、上述した注出ノズル５の第１注出口５ａに対向する第２注出口１３が設けられている。具体的に、第２注出口１３は、上述した注出ノズル５の第１注出口５ａよりも小径であり、且つ、第１注出口５ａの内側に臨んで配置されている。また、第２注出口１３は、容器本体２に収容された液体洗剤を衣服の襟や袖などに直接塗布できるように、例えば天板部１４の略中央部から上方に向かって僅かに突出したノズル形状を有している。なお、天板部１４は、内筒部１５と一体に形成することも可能である。また、第２注出口１３は、第１注出口５ａの中心から容器本体２を傾ける側に偏倚して設けられていてもよい。
【００２０】
天板部１４の下面部には、注出ノズル５の先端部が第２注出口１３の周囲に水密に嵌合される嵌合部１７が設けられている。この嵌合部１７は、例えば第２注出口１３の周囲から円筒状に垂下された突起部からなり、この突起部が第１注出口５ａの内側に水密に嵌合される構成となっている。また、嵌合部１７は、このような構成に限らず、例えば円筒状の突起部の内側に注出ノズル５の先端部が水密に嵌合される構成や、二重に設けられた円筒状の突起部の間に注出ノズル５の先端部が水密に嵌合される構成であってもよい。或いは、天板部１４に設けられた凹部の内側に注出ノズル５の先端部が水密に嵌合される構成とすることもできる。
【００２１】
天板部１４の上面部には、第２注出口１３を開閉する開閉手段であるカバーキャップ１８がヒンジ部１８ａを介して回動可能に設けられている。このカバーキャップ１８は、天板部１４の側面に設けられたヒンジ部１８ａと共に天板部１４と一体に形成されたものであり、天板部１４と対向する面には、第２注出口１３を閉塞する栓部１８ｂが突出して設けられている。
【００２２】
計量キャップ４は、このようなカバーキャップ１８を設けることによって、容器本体２から注出された液体を計り取る際に第２注出口１３からの液漏れを確実に防ぐことができる。また、カバーキャップ１８は、ヒンジ部１８ａを介して計量キャップ４に連結されていることから、このカバーキャップ１８を開蓋した際に無くしてしまうといったことを防ぐことができる。
【００２３】
内筒部１５は、天板部１４の下面から注出ノズル５の周囲を囲むように垂下されており、計量キャップ４を注出キャップ３に被せた状態において、この内筒部１５の内側に戻し口１０よりも上方に位置する注出ノズル５の嵌合部５ｂが水密に嵌合される構成となっている。また、内筒部１５は、その内側に嵌合部５ｂが容易に嵌合されるように、先端部１５ａに向かって漸次肉厚が薄くなっている。
【００２４】
また、内筒部１５の先端部１５ａは、外側に向かって湾曲した形状を有しており、計量キャップ４を注出キャップ３に被せた状態において、内筒部１５の先端部１５ａが内側周壁７に水密に嵌合される構成となっている。
【００２５】
外筒部１６は、内筒部１５の外周面の中途部に位置するフランジ部１９を介して下方に向かって略円筒状に垂下されている。また、外筒部１６の内周面には、上述した内筒部８のネジ部８ａに螺合されるネジ部１６ａが形成されている。これにより、計量キャップ４は、注出キャップ３に対して着脱自在に被せることが可能となっている。
【００２６】
なお、計量キャップ４は、計量部４ａによる計量を行い易くするため、透明であることが好ましく、内筒部１５の側面部には、容量表示のための目盛り（図示せず。）が設けられている。また、外筒部１６の外周面には、この計量キャップを回す際の滑り止めとなる複数の縦溝２０が全周に亘って設けられている。
また、計量キャップ４は、このような注出キャップ３の外側に嵌合される外嵌合型に限らず、注出キャップ３の内側に嵌合される内嵌合型であってもよい。
【００２７】
以上のようなキャップ付き容器１を用いて洗濯などを行う場合には、カバーキャップ１８を閉じた計量キャップ４を注出キャップ３から取り外し、容器本体２を傾けて注出ノズル５の第１注出口５ａから注出された液体洗剤を計量キャップ４の計量部４ａで計り取った後に、洗濯機に投入するといった操作を行う。
【００２８】
一方、このキャップ付き容器１では、計量キャップ４を注出キャップ３に被せた状態のままカバーキャップ１８を開き、容器本体２を傾けることによって、注出ノズル５の第１注出口５ａから注出された液体洗剤を第２注出口１３から注出するといった操作も行うことができる。
【００２９】
ところで、本発明を適用したキャップ付き容器１では、計量キャップ４を注出キャップ３に被せた状態においては、注出ノズル５の先端部が天板部１４の嵌合部１７に水密に嵌合されると共に、内筒部１５の内側に注出ノズル５の嵌合部５ｂが水密に嵌合されることによって、計量部４ａが密閉状態となっている。
これにより、本発明を適用したキャップ付き容器１では、容器本体２を転倒させたり反転させたりした場合でも、注出ノズル５及び戻し口１０から計量部４ａ内に液体洗剤が流入することがなく、計量部４ａ内での泡の発生を確実に防ぐことができる。
したがって、このキャップ付き容器１では、計量時に泡の影響を受けることなく液体洗剤を計量キャップ４の計量部４ａにより正確に計り取ることが可能である。
【００３０】
また、本発明を適用したキャップ付き容器１では、計量キャップ４を注出キャップ３に被せた状態において、内筒部１５の先端部１５ａが内側周壁７に水密に嵌合されることによって、戻し口１０から流出した液体洗剤が内筒部１５と内側周壁７との間から内筒部１５と内側周壁７及び内筒部８との間に流れ込むのを防ぐことができる。
【００３１】
なお、本発明は、上記実施形態に必ずしも限定されるものではなく、本発明の趣旨を逸脱しない範囲において種々の変更を加えることが可能である。
例えば、上記実施形態では、計量キャップ４の第２注出口１３を開閉する開閉手段として、上述した図１に示すカバーキャップ１８が設けられた構成となっているが、このようなカバーキャップ１８の代わりに、例えば図２に示すようなターレット型のキャップ開閉機構３０を計量キャップ４に設けた構成としてもよい。
【００３２】
具体的に、このキャップ開閉機構３０は、例えば衣服の襟や袖などの部分的な汚れに対して液体洗浄剤を直接塗布することができる塗布ノズル３１を有し、この塗布ノズル３１は、上記計量キャップ４の天板部１４に基端部が回動可能に取り付けられている。一方、上記計量キャップ４の天板部１４には、この塗布ノズル３１を収納するための収納凹部３２が設けられており、この収納凹部３２の底部に上記第２注出口１３（図２において図示せず。）が配置されている。塗布ノズル３１は、収納凹部３２に収納される収納位置と、収納凹部３２の側面に当接されて回動が阻止される起立位置との間で略９０゜の角度範囲に亘って回動可能となっている。そして、この塗布ノズル３１は、回動操作によって収納凹部３２に収納された状態にあるとき、収納凹部３２に密着嵌合されることで第２注出口１３を閉塞する。一方、この塗布ノズル３１は、回動操作によって収納凹部３２から起立した状態にあるとき、その基端部が収納凹部３２に密着嵌合することで第２注出口１３と連通された状態となる。これにより、第２注出口１３を通じて塗布ノズル３１の先端から液体洗剤を注出することが可能となっている。
以上のようにして、このキャップ開閉機構３０では、塗布ノズル３１の回動操作によって計量キャップ４の第２注出口１３を開閉することが可能となっている。なお、塗布ノズル３１の先端部には、収納位置にて計量キャップ４よりも外側に張り出した鍔部３３が設けられている。塗布ノズル３１は、この鍔部３３によって収納凹部３２から容易に起立させることが可能となっている。
【００３３】
また、本発明では、例えば図３に示すようなプッシュプル型のキャップ開閉機構４０を計量キャップ４に設けた構成としてもよい。このキャップ開閉機構４０は、中央部にノズル４１ａが設けられたプッシュプルキャップ４１を有し、このプッシュプルキャップ４１は、上記計量キャップ４の天板部１４に取り付けられて、上下方向にスライド（プッシュプル）可能となっている。一方、上記計量キャップ４の天板部１４には、このプッシュプルキャップ４１を収納するための収納凹部４２が設けられており、この収納凹部４２の底部に上記第２注出口１３（図３において図示せず。）が配置されている。そして、このプッシュプルキャップ４１は、押し込み（プッシュ）操作によって収納凹部４２に収納された状態にあるとき、第２注出口１３を閉塞する。一方、このプッシュプルキャップ４１は、引張り（プル）操作によって収納凹部４２から突出した状態にあるとき、第２注出口１３を開放し、この第２注出口１３を通じてノズル４１ａの先端から液体洗剤を注出することが可能となっている。
以上のようにして、このキャップ開閉機構４０では、プッシュプルキャップ４１のプッシュプル操作によって計量キャップ４の第２注出口１３を開閉することが可能となっている。なお、プッシュプルキャップ４１の側面部には、このプッシュプルキャップ４１を引き出す際の滑り止めとなる複数の横溝４３が設けられている。
【００３４】
また、本発明では、例えば図４に示すようなトグル型のキャップ開閉機構５０を計量キャップ４に設けた構成としてもよい。このキャップ開閉機構５０は、側面部に注ぎ口５１ａが設けられたトグルキャップ５１を有し、このトグルキャップ５１は、上記計量キャップ４の天板部１４に揺動可能に取り付けられている。一方、上記計量キャップ４の天板部１４には、このトグルキャップ５１を収納するための収納凹部５２が設けられており、この収納凹部５２の底部に上記第２注出口１３（図４において図示せず。）が配置されている。そして、このトグルキャップ５１は、図４Ａに示すように、揺動操作によって注ぎ口５１ａ側が収納凹部５２に収納された状態にあるとき、第２注出口１３を閉塞する。一方、このトグルキャップ５１は、図４Ｂに示すように、揺動操作によって注ぎ口５１ａ側が収納凹部５２から突出した状態にあるとき、第２注出口１３を開放し、この第２注出口１３を通じて注ぎ口５１ａから液体洗剤を注出することが可能となっている。
以上のようにして、このキャップ開閉機構５０では、トグルキャップ５１の揺動操作によって計量キャップ４の第２注出口１３を開閉することが可能となっている。
【００３５】
また、本発明では、上述したキャップ開閉機構３０，４０，５０以外にも、スクリュー型のキャップ開閉機構を計量キャップ４に設けた構成とすることも可能である。
【００３６】
なお、上記キャップ付き容器１に収容される液体（内容液）については、従来より一般に使用されている液体洗剤の他に、液体漂白剤などを収容することができる。また、本発明を適用したキャップ付き容器１では、容器本体２に収容された液体が少なくとも２質量％以上の界面活性剤を含む液体洗剤組成物又は液体漂白剤組成物であっても、計量部４ａ内での泡の発生を防ぐことができる。
【００３７】
界面活性剤としては、液体洗剤や液体漂白剤などにおいて従来より一般に使用されているものであれば特に限定されるものではなく、１種又は２種以上を適宜組み合わせて使用することができる。内容液に含まれる界面活性剤の総量については、２質量％以上であることが性能上好ましい。界面活性剤の中でも特にノニオン界面活性剤である下記一般式（１）で表されるポリオキシエチレンアルキルエーテルを用いることが好ましく、このようなノニオン界面活性剤を１種又は２種以上組み合わせて使用することができる。
【００３８】
Ｒ１−Ｏ−（ＣＨ２ＣＨ２Ｏ）ｎ−Ｈ  …（１）
【００３９】
なお、式（１）中、Ｒ１はアルキル基を示し、ｎはエチレンオキサイド（ＥＯ）の平均付加モル数を示す。
このポリオキシエチレンアルキルエーテルにおいて、アルキル基は、直鎖状でも分岐を有するものであってもよい。また、アルキル基の炭素数は７〜１６であり、好ましくは１０〜１６であり、更に好ましくは１２〜１４である。具体的なアルキル基としては、例えばヘプチル基、オクチル基、ノニル基、デシル基、ウンデシル基、ドデシル基、トリデシル基、テトラデシル基、ペンタデシル基、ヘキサデシル基などを挙げることができる。
【００４０】
次に、本発明を適用したキャップ付き容器１に収容される液体漂白剤組成物の実施例として具体的な配合例を表１に示して詳しく説明するが、本発明はこの実施例に限定されるものではない。また、特に断りがないときの％は質量％とする。
【００４１】
【表１】
0004764238.tif 000002
【００４２】
表１中に記載した各成分は、次のとおりである。
過酸化水素：三菱瓦斯化学社製、３５％水溶液
ヒドロキシエタンジホスホン酸：エチレンジアミンテトラキスメチレンホスホン酸、商品名ＢＲＩＱＵＥＳＴ４２２、オルブライトウィルソン社製、６０％品
４−メトキシフェノール：商品名ＭＱ−Ｆ、川口化学社製、１００％品
ポリオキシエチレンアルキルエーテル：ノニオン界面活性剤、ライオン社製、Ｙｉは、上記一般式（１）のノニオン界面活性剤の合計質量に対するｎａｖ−２からｎａｖ＋２の範囲に含まれるノニオン界面活性剤の合計質量の割合である。Ｙｉ＝８４％、アルキル基Ｃ１２、ＥＯ平均付加モル数＝５、９０％品
ＬＡＳ−Ｈ：炭素数１０〜１４のアルキルベンゼンスルホン酸、商品名ライポンＬＨ−２００、ライオン社製、９６％品
Ａｏｓ−Ｎａ：炭素数１４のα−オレフィンスルホン酸ナトリウム、商品名リポランＬＢ−４４０、ライオン社製、３８％品
４ホウ素酸Ｎａ５水塩：四ホウ酸ナトリウム５水和物、商品名ＢＯＲＡＸ、ＢＯＲＡＸ社製、１００％品
水酸化ナトリウム：旭硝子社製、２５％品
硫酸：日産化学工業社製、６２．５％品
香料：特開２００３−３６８３９８号公報、表７〜１４に記載の香料組成物Ａ
【産業上の利用可能性】
【００４３】
本発明は、計量カップとして使用できるキャップを備えたキャップ付き容器に対して幅広く適用することが可能であり、上述した液体洗剤組成物や液体漂白剤組成物を収容したもの以外にも、その他の液体製品や、薬品、食品等といった中で計量を必要とする液体を収容したものに対して好適に用いることが可能である。
【図面の簡単な説明】
【００４４】
【図１】図１は、本発明を適用したキャップ付き容器の一構成例を示す断面図である。
【図２】図２は、ターレット型のキャップ開閉機構を示す斜視図である。
【図３】図３は、プッシュプル型のキャップ開閉機構を示す斜視図である。
【図４】図４は、トグル型のキャップ開閉機構を示す斜視図であり、Ａはその閉塞時であり、Ｂはその開放時である。
【図５】図５は、従来のキャップ付き容器の一構成例を示す断面図である。
【図６】図６は、キャップ付き容器の使用形態を示す斜視図である。
【図７】図７は、図５に示すキャップ付き容器の計量時の状態を示す斜視図である。
【図８】図８は、図５に示すキャップ付き容器の反転後の状態を示す断面図である。
【符号の説明】
【００４５】
１…キャップ付き容器  ２…容器本体  ３…注出キャップ  ４…計量キャップ  ４ａ…計量部  ５…注出ノズル  ５ａ…第１注出口  ５ｂ…嵌合部  ６…底壁  ６ａ…液溜め部  ７…内側周壁  ８…内筒部  ９…外筒部  １０…戻し口  １３…第２注出口  １４…天板部  １５…内筒部  １６…外筒部  １７…嵌合部  １８…カバーキャップ
【図１】
0004764238.tif 000003
【図２】
0004764238.tif 000004
【図３】
0004764238.tif 000005
【図４】
0004764238.tif 000006
【図５】
0004764238.tif 000007
【図６】
0004764238.tif 000008
【図７】
0004764238.tif 000009
【図８】
0004764238.tif 000010